(57)【特許請求の範囲】
【請求項１】
所定の軸線上に積層された複数の光ディスクと、前記光ディスクを回転させるディスクモータと、光源，受光素子，対物レンズ及び対物レンズアクチュエータを含み前記光ディスク面に対向して配置された光ヘッドアセンブリと、前記光ヘッドアセンブリを略同一平面上に複数かつそれぞれ独立に着脱可能に構成した箱状のフレームとを備え、
前記フレームを、前記所定の軸線上に、前記フレームの周縁リブ部が互いに接するように、複数積層して柱状構造とした
ことを特徴とする積層型光ディスク装置。
【請求項２】
積層される前記フレームを各々同一形状のものとし、前記フレームに保持された前記光ディスクと該光ディスク面に対向する光ヘッドアセンブリとの間の離間距離が略同一になるようにしたことを特徴とする請求項１記載の積層型光ディスク装置。
【請求項３】
前記フレームの周縁部は、前記フレームは前記光ディスクの回転軸を略中心とした多角形を構成する部分であり、
前記フレームは、前記周縁リブ部の内面に配され前記周縁リブ部を縦横に接続する中央リブ部を有する多角柱形状である
ことを特徴とする請求項１記載の積層型光ディスク装置。
【請求項４】
前記中央リブ部と前記光ヘッドアセンブリとの接触部にガイドを形成したことを特徴とする請求項３記載の積層型光ディスク装置。
【請求項５】
各フレームの端部を貫通する固定手段により積層されたフレームの全てをベースに直接固定したことを特徴とする請求項１記載の積層型光ディスク装置。
【請求項６】
積層されたフレームの各フレーム間を個別固定手段で固定することにより、各フレームを下層側のフレームに対して各々順番に固定し、最下層のフレームをベースに対して固定したことを特徴とする請求項１記載の積層型光ディスク装置。
【請求項７】
前記ディスクモータは前記フレームのそれぞれに対して設けられ、該ディスクモータにより積層された前記複数の光ディスクを個別に駆動可能としたことを特徴とする請求項１記載の積層型光ディスク装置。
【請求項８】
前記フレームが保持する光ディスクの同一面に対して複数の光ヘッドアセンブリが対向するようにしたことを特徴とする請求項１記載の積層型光ディスク装置。
【請求項９】
前記フレームの外形形状を正六角形とし、該フレームの周縁リブ部の一部を互いに共用する複数のフレームを並置した最密構造としたことを特徴とする請求項１記載の積層型光ディスク装置。
【請求項１０】
請求項１乃至９のいずれかに記載の積層型光ディスク装置と、前記積層型光ディスク装置に対する情報の入出力を制御する入出力制御装置とを備え、前記積層型光ディスク装置が保持する複数の光ディスクの中から、外部からの要求に該当する光ディスクを選択し、該光ディスクから再生した情報を伝送することを特徴とする光ディスクシステム。
【発明の詳細な説明】
【０００１】
【産業上の利用分野】
本発明は複数枚数の光ディスクに対して光学的に情報の記録または再生を行う光ディスク装置に関し、特に光ヘッドアセンブリを個々に分離、独立して着脱し得る積層型光ディスク装置及びそれを用いた光ディスクシステムに関するものである。
【０００２】
【従来の技術】
図１３は、特開平５−６７３８１号公報に記載された従来の積層型光ディスク装置の断面図、図１４は図１３の取付フレ−ムの斜視図、図１５は図１３における光ヘッドアセンブリを固定する取付フレームと光ヘッドアセンブリを取り付けた状態並びに光ディスク装置の外観斜視図、図１６は従来の積層型光ディスク装置の他の実施例を示した断面図である。
【０００３】
図１３、図１４及び図１５において、１はその両面に情報が記録される光ディスク、２は軸、３はベース、４は取付フレームであり、取付フレーム４上には溝４ａ、孔４ｂが設けられている。５は光ヘッドアセンブリであり、取付フレーム４に対して光ディスクアセンブリ５が溝４ａ、孔４ｂを利用して独立着脱自在に固定されている。６はクランプ板、７は光源部、８は光学素子、９は２次元アクチュエータ、１０は光ビーム、１１は反射ミラー、１８はハーフミラー、１９は対物レンズである。
【０００４】
図１３、図１４及び図１５に示すように複数の光ディスク１は軸２に積層されている。各光ディスク１はクランプ板６により厚み方向に加圧固定され、また各光ディスク１の間には光ヘッドアセンブリ５が取付フレーム４に独立して固定されている。この取付フレーム４は軸２と共にベース３上に配設され、ディスクの回転、光ピックアップの移動動作を行う。取付フレーム４は図１４に示すような孔４ｂを有し、かつ光ヘッドアセンブリ５が各光ディスク１の媒体面に対向する所定の高さに位置決めできるように溝４ａが形成されている。
【０００５】
光ヘッドアセンブリ５は固定光学系と可動光学系から構成され、固定光学系は光ビームを発生するための光源部７と、光ビームを反射ならびに誘導させる反射ミラー１１、およびハーフミラー１８と光ビーム１０を電気信号に変換する光学素子８から構成されている。可動光学系は、光スポットを形成するための対物レンズ１９を光ディスク１の面外方向や半径方向に位置決めするための２次元アクチュエータ９から構成されている。光学系の構成や、２次元アクチュエータ９の駆動は既知の方法で行うため、ここでは説明を省略する。
【０００６】
図１６は従来の積層型光ディスク装置の他の例を示す図である。本従来例において、３ａは下部ベース、１６はスペーサである。本例は締結状態での剛性を確保するための取付構造を示したもので、光ヘッドアセンブリ５間にスペ−サ１６を配置し積層方向に固定したものである。光ヘッドアセンブリは下部ベース３ａに対してボルト１７で固定されており、取付フレームや取付枠がない。所望の光ヘッドアセンブリ５の着脱は上記ボルト１７の取外しと締結とにより行う必要がある。
【０００７】
【発明が解決しようとする課題】
しかしながら、上記のように構成された従来の積層型光ディスク装置においては次のような問題点があった。
【０００８】
図１４に示したように、取付フレーム４は積層されるディスクを全て一体で包含するための溝４ａ、孔４ｂを有する箱型形状を成しているため、側面部の高さが高くなり、取付フレーム４全体としての剛性が低下していた。この剛性低下により光ヘッドアセンブリ５が結果として励振され、アクセス制御、フォーカシング制御、トラッキング制御に対して悪影響を及ぼしていた。
【０００９】
また、積層するディスク枚数により取付フレーム４の形状を異ならせる必要があるため、ディスク枚数が異なるシステム毎に別々の取付フレーム４を作成する必要があり、手間やコストの増加を招き、量産性が悪かった。
【００１０】
また、光ヘッドアセンブリ５は取付フレーム４に対して片持ち支持された状態であるために、光ヘッドアセンブリ５は光ディスク１に対して所定の角度で固定することが難しく、光ディスク１と光ヘッドアセンブリ５の間に大きな相対傾きが発生していた。
【００１１】
また、光ヘッドアセンブリ５は取付フレーム４に対して片持ち支持された状態であるため剛性が低くなり、ベ−ス３に対する外乱により光ヘッドアセンブリ５が大きく振動することによって２次元アクチュエータ９等からなる可動部の周波数特性に不要な乱れが生じていた。
【００１２】
本発明は上述の問題点を解決するためになされたもので、装置の重量を大幅に増加させることなく装置の剛性向上を図るとともに、量産性にも優れ、かつ空間利用効率の高い積層型光ディスク装置を得ることを目的としている。
【００１３】
また、本発明は、光ディスクと光ヘッド間の相対傾きが発生し難い積層型光ディスク装置を得ることを目的としている。
【００１４】
さらに、本発明では、装置の信頼性の高い積層型光ディスク装置を得ることをも目的としている。
【００１５】
さらにまた、本発明では、大容量，転送レートの高い本発明の積層型光ディスク装置を用いることで複数の端末との間で情報の入出力が行える光ディスクシステムを得ることをも目的としている。
【００１６】
【課題を解決するための手段】
本発明の請求項１にかかる積層型光ディスク装置は、所定の軸線上に積層された複数の光ディスクと、前記光ディスクを回転させるディスクモータと、光源，受光素子，対物レンズ及び対物レンズアクチュエータを含み前記光ディスク面に対向して配置された光ヘッドアセンブリと、前記光ヘッドアセンブリを略同一平面上に複数かつそれぞれ独立に着脱可能に構成した箱状のフレームとを備え、前記フレームを、前記所定の軸線上に、前記フレームの周縁リブ部が互いに接するように、複数積層して柱状構造としたことを特徴とする。
【００１７】
本発明の請求項２にかかる積層型光ディスク装置は、積層される前記フレームを各々同一形状のものとし、前記フレームの高さが各光ディスクの離間距離と略同一になるようにしたことを特徴とする。
【００１８】
本発明の請求項３にかかる積層型光ディスク装置は、前記フレームの周縁部は、前記フレームは前記光ディスクの回転軸を略中心とした多角形を構成する部分であり、前記フレームは、前記周縁リブ部の内面に配され前記周縁リブ部を縦横に接続する中央リブ部を有する多角柱形状であることを特徴とする。
【００１９】
本発明の請求項４にかかる積層型光ディスク装置は、前記中央リブ部と前記光ヘッドアセンブリとの接触部にガイドを形成したことを特徴とする。
【００２０】
本発明の請求項５にかかる積層型光ディスク装置は、各フレームの端部を貫通する固定手段により積層されたフレームの全てをベースに直接固定したことを特徴とする。
【００２１】
本発明の請求項６にかかる積層型光ディスク装置は、積層されたフレームの各フレーム間を個別固定手段で固定することにより、各フレームを下層側のフレームに対して各々順番に固定し、最下層のフレームをベースに対して固定したことを特徴とする。
【００２２】
本発明の請求項７にかかる積層型光ディスク装置は、前記ディスクモータは前記フレームのそれぞれに対して設けられ、該ディスクモータにより積層された前記複数の光ディスクを個別に駆動可能としたことを特徴とする。
【００２３】
本発明の請求項８にかかる積層型光ディスク装置は、前記フレームが保持する光ディスクの同一面に対して複数の光ヘッドアセンブリが対向するようにしたことを特徴とする。
【００２４】
本発明の請求項９にかかる積層型光ディスク装置は、前記フレームの外形形状を正六角形とし、該フレームの周縁リブ部の一部を互いに共用する複数のフレームを並置した最密構造としたことを特徴とする。
【００２５】
本発明の請求項１０にかかる光ディスクシステムは、請求項１乃至９のいずれかに記載の積層型光ディスク装置と、前記積層型光ディスク装置に対する情報の入出力を制御する入出力制御装置とを備え、前記積層型光ディスク装置が保持する複数の光ディスクの中から、外部からの要求に該当する光ディスクを選択し、該光ディスクから再生した情報を伝送することを特徴とする。
【００２６】
【作用】
本発明の請求項１にかかる積層型光ディスク装置によれば、光ヘッドアセンブリを略同一平面上に複数かつ独立に箱状のフレームに着脱可能とし、前記フレームを、前記所定の軸線上に、前記フレームの周縁リブ部が互いに接するように、複数積層して柱状構造としたので剛性の高い積層型光ディスク装置を構成できる。
【００２７】
本発明の請求項２にかかる積層型光ディスク装置によれば、積層されるフレームのそれぞれを同一形状のものとし、前記フレームの高さが各光ディスクの離間距離と略同一になるようにすることで、フレームを単に積層するだけで光ディスクと光ヘッドアセンブリの相対高さを所望の値に設定した積層型光ディスク装置が得られる。
【００２８】
本発明の請求項３にかかる積層型光ディスク装置によれば、各フレームを光ディスクの回転軸を略中心とした多角形を構成する周縁リブ部と、該周縁リブ部の内面に配され周縁リブ部を縦横に接続する中央リブ部とから構成したので、剛性の高い積層型光ディスク装置を構成できる。
【００２９】
本発明の請求項４にかかる積層型光ディスク装置によれば、中央リブ部と光ヘッドアセンブリとの接触部にガイドを形成することで、フレームに着脱される光ヘッドアセンブリの配置傾きに関する配置精度を向上させることができる。
【００３０】
本発明の請求項５にかかる積層型光ディスク装置によれば、各フレームの端部を貫通する固定手段により積層されたフレームの全てをベースに直接固定することで、多数のフレームをベースに対して固定することができる。
【００３１】
本発明の請求項６にかかる積層型光ディスク装置によれば、積層されたフレームの各フレーム間を個別固定手段で固定することにより、各フレームを下層側のフレームに対して各々順番に固定し、最下層のフレームをベースに対して固定したので、光ディスクと光ヘッドアセンブリ間の相対的な傾き調整を各フレーム間で個別に行うことができる。
【００３２】
本発明の請求項７にかかる積層型光ディスク装置によれば、ディスクモータをフレームのそれぞれに対して設けることで、積層された複数の光ディスクを必要に応じて個別に駆動することができる。
【００３３】
本発明の請求項８にかかる積層型光ディスク装置によれば、フレームが保持する光ディスクの同一面に対して複数の光ヘッドアセンブリを対向させることで、冗長系を構成し、装置の信頼性を向上させる。
【００３４】
本発明の請求項９にかかる積層型光ディスク装置によれば、フレームの外形形状を正六角形とすることで、このフレームの周縁リブ部の一部を互いに共用する複数のフレームを並置した最密構造を採用でき、空間利用率の高い積層型光ディスク装置が構成できる。
【００３５】
本発明の請求項１０にかかる光ディスクシステムによれば、多数の異なる情報をもつ光ディスクの中から、外部の要求に応じて容易かつ迅速に所望の情報を送出することができる。
【００３６】
【実施例】
実施例１．
以下、本発明の実施例１を図について説明する。図１は本実施例にかかる積層型光ディスク装置の要部分解斜視図、図２は図１の要部平面図、図３は図１の概略断面図、図４は積層型光ディスク装置の一部品であるフレーム単体の平面図である。
【００３７】
図１乃至図４において、ベ−ス１０１にディスクモ−タ１０２が固定配置され、このディスクモ−タ１０２に両面記録可能な光ディスク１０３ａ、１０３ｂ、１０３ｃ、１０３ｄがスペ−サ１０４ａ、１０４ｂ、１０４ｃを介してそれぞれ回転可能に保持されている。スペ−サ１０４ａ、１０４ｂ、１０４ｃは、光ディスク１０３ａ、１０３ｂ、１０３ｃ、１０３ｄが互いに平行配置されるように両端面の平行度が充分高い値となっている。
【００３８】
フレ−ム１０５ａは一方がベ−ス１０１に対して固定されているとともに、他方にはフレ−ム１０５ｂが互いに直接接した状態で積層されており、以下フレ−ム１０５ｃ、１０５ｄ、１０５ｅも同様に互いに直接接した状態で順次積層されている。フレ−ム１０５ａ、１０５ｂ、１０５ｃ、１０５ｄ、１０５ｅには周縁リブ部１０６ａ、１０６ｂ、１０６ｃ、１０６ｄ、１０６ｅがフレームの周囲をほぼ一周する形で各々設けられているとともに、中央リブ部１０７ａ、１０７ｂ、１０７ｃ、１０７ｄ、１０７ｅが上記周縁リブ部１０６ａ、１０６ｂ、１０６ｃ、１０６ｄ、１０６ｅを互いに接続する形で縦横に設けられている。
【００３９】
上記フレ−ム１０５ａ、１０５ｂ、１０５ｃ、１０５ｄ、１０５ｅの間には、光ディスク１０３ａ、１０３ｂ、１０３ｃ、１０３ｄが各々順番に配置されている。ここで、光ディスク１０３ａ、１０３ｂ、１０３ｃ、１０３ｄ間の離間距離と各フレ−ム１０５ａ、１０５ｂ、１０５ｃ、１０５ｄ、１０５ｅの周縁リブ部１０６ａ、１０６ｂ、１０６ｃ、１０６ｄ、１０６ｅとの高さは、図３に示すように全て同一距離Ｈになるように設定されている。また、中央リブ部１０７ａ、１０７ｂ、１０７ｃ、１０７ｄ、１０７ｅの高さは、光ディスク１０３ａ、１０３ｂ、１０３ｃ、１０３ｄを配置する分だけ、周縁リブ部１０６ａ、１０６ｂ、１０６ｃ、１０６ｄ、１０６ｅの高さよりも低くなるように構成されている。そして、上記フレ−ム１０５ａ、１０５ｂ、１０５ｃ、１０５ｄ、１０５ｅは全て同一形状をなしているため、フレームの組立順序に規制無く積層型光ディスク装置は組立てることが可能である。
【００４０】
一方、光ヘッドアセンブリ１０８ａは上記フレ−ム１０５ａに対して、光ヘッドアセンブリ１０８ｂ及び１０８ｃは上記フレ−ム１０５ｂに対して、光ヘッドアセンブリ１０８ｄ及び１０８ｅは上記フレ−ム１０５ｃに対して、光ヘッドアセンブリ１０８ｆ及び１０８ｇは上記フレ−ム１０５ｃに対して、光ヘッドアセンブリ１０８ｈは上記フレ−ム１０５ｄに対して、各々着脱自在に保持されている。つまり、本実施例では、各光ディスクの両面に対してそれぞれ１個の光ヘッドアセンブリが対向配置されている。
【００４１】
この光ヘッドアセンブリ１０８ａには、対物レンズ１０９ａを駆動制御するための対物レンズアクチュエータ１１０ａと反射ミラー（図示せず）がキャリッジ１１１ａ上に設けられ、キャリッジ１１１ａに設けられたベアリング１１２ａを介してガイドレ−ル１１３ａにより光ディスク１０３ｂの半径方向に移動自在に保持されている。他の光ヘッドアセンブリ１０８ｂ、１０８ｃ、１０８ｄ、１０８ｅ、１０８ｆ、１０８ｇ、１０８ｈについても同様に対物レンズアクチュエータやキャリッジ等（図示せず）が可動光学系として各々設けられている。
【００４２】
固定光学系１２０ａ上には、光源、受光素子及び光学部品等（図示せず）が設けられており、上記キャリッジ１１１ａに対して光ビーム１２１ａを照射する。上記キャリッジ１１１ａ上の反射ミラー（図示せず）により反射された光ビーム１２１ａは、対物レンズ１０９ａにより集束され、光ディスク１０３ａ上に集光スポットとを形成する。光ディスク１０３ａにより反射された光ビーム１２１ａは上記光路を逆行し、上記固定光学系１２０ａ内の受光素子（図示せず）において光電変換され、情報の記録または再生に用いられるとともに、光ディスク１０３ａ面と集光スポットとの焦点ずれや情報トラックに対するトラッキングずれ量の検出に用いられる。
【００４３】
図４に示したフレーム１０５ａおいて、周縁リブ部１０６ａと、分散して配置された４個のフレーム取付面１２２ａが、フレーム１０５ｂの周縁リブ部１０６ｂ及びフレーム取付面（図示せず）と互いに接して積層される。また、フレーム取付面１２２ａに各々設けられた固定用穴１２３ａを、図３に示した４本の共通固定ネジ１２４が貫通しており、これらの共通固定ネジ１２４によりフレーム１０５ａ、１０５ｂ、１０５ｃ、１０５ｄ、１０５ｅ全てがベース１０１上の４個のネジ穴１２５を用いて一括固定されている。尚、フレームの最上層にはカバー１２６が配置され、装置内への塵埃の侵入を防止している。
【００４４】
また、図１に示したように、光ヘッドアセンブリ１０８ａ、１０８ｂ、１０８ｃ、１０８ｄ、１０８ｅ、１０８ｆ、１０８ｇ、１０８ｈの側面であり、かつ、フレ−ム１０５ａ、１０５ｂ、１０５ｃ、１０５ｄ、１０５ｅの内部に位置する部分には、光ヘッドガイド部１２７ａ、１２７ｂ、１２７ｃ、１２７ｄ、１２７ｅ、１２７ｆ、１２７ｇ、１２７ｈが設けられるとともに、上記光ヘッドガイド部１２７ａ、１２７ｂ、１２７ｃ、１２７ｄ、１２７ｅ、１２７ｆ、１２７ｇ、１２７ｈと接するフレ−ムの側面には、フレ−ムガイド部１２８ａ、１２８ｂ、１２８ｃ、１２８ｄ、１２８ｅ、１２８ｆ、１２８ｇ、１２８ｈが設けられており、互いに嵌合する形で組み組まれる。
【００４５】
なお、本実施例では、光ヘッドアセンブリ１０８が固定光学系と可動光学系とに分離されている場合について示したが、固定光学系も可動光学系と一体となって動く一体型の光学系を採用してもよい。
【００４６】
実施例２．
図５は本発明の実施例２における積層型光ディスク装置の概略断面図である。尚、図１〜４と同一または相当部分には同一符号を付してその説明を省略する。
【００４７】
本実施例では図５に示すように、フレーム１３０ａ、１３０ｂ、１３０ｃ、１３０ｄ上にはディスクモータ１３１ａ、１３１ｂ、１３１ｃ、１３１ｄが各々配置されており、光ディスク１０３ａ、１０３ｂ、１０３ｃ、１０３ｄが各ディスクモータ１３１ａ、１３１ｂ、１３１ｃ、１３１ｄに対応して各々１枚ずつ回転可能に保持されている。
【００４８】
各光ディスク１０３ａ、１０３ｂ、１０３ｃ、１０３ｄは、フレーム１３０ａ、１３０ｂ、１３０ｃ、１３０ｄに設けられた互いに平行な上下取付面１３２ａ、１３２ｂ、１３２ｃ、１３２ｄに対し平行になるように取り付けられており、各光ディスク１０３ａ、１０３ｂ、１０３ｃ、１０３ｄに対して各光ヘッドアセンブリ１０８ａ〜ｈの傾き調整を個別に行うようにされている。このように各光ディスク１０３ａ、１０３ｂ、１０３ｃ、１０３ｄと各フレームの上下取付面１３２ａ、１３２ｂ、１３２ｃ、１３２ｄが平行に調整されているため、フレーム１３０ａ、１３０ｂ、１３０ｃ、１３０ｄをこの上下取付面によって互いに接して積層するだけで、各光ディスク１０３ａ、１０３ｂ、１０３ｃ、１０３ｄの上側の面に対向した光ヘッドアセンブリ１０８ｂ、１０８ｄ、１０８ｆ、１０８ｈと各光ディスク１０３ａ、１０３ｂ、１０３ｃ、１０３ｄ間の相対傾きも小さい誤差で配置することが可能となる。
【００４９】
実施例３．
図６は本発明の実施例３における積層型光ディスク装置の要部分解斜視図であり、図７は図６の一部品であるフレーム単体の平面図である。尚、図１〜５と同一または相当部分には同一符号を付してその説明を省略する。
【００５０】
本実施例では図６に示すように、ベース１０１に対して、フレーム１４０ａ、１４０ｂを順次積層し、フレーム１４０ａ、１４０ｂの間に光ディスク１０３ａが配置されており、以下フレームや光ディスク等（図示せず）が上述の実施例１と同様に順次積層されている。但し、実施例１とは異なり、本実施例においては、個別固定ネジ１４１ａにより最下部のフレーム１４０ａをベース１０１に対して固定し、続いてフレーム１４０ｂがフレーム１４０ａに対して個別固定ネジ１４１ｂにより固定するよう構成されており、各フレーム間を個別固定ネジによりそれぞれ固定する構成となっている。つまり、各フレームが下層側から順番に個別固定されているわけである。この場合、図７に示すように、フレーム１４０ａには個別固定ネジ１４１ａが貫通する固定用穴１４２ａ、及び、一層上側のフレームを固定するためのネジ穴１４３ａが設けられている。
【００５１】
なお、本実施例では、各フレームに対して２個の個別固定ネジを使用した場合に付いて示したが、３個以上のネジを用いても良い。
【００５２】
実施例４．
図８は本発明の実施例４における積層型光ディスク装置の要部分解斜視図である。尚、図１〜７と同一または相当部分には同一符号を付してその説明を省略する。
【００５３】
図において、ベース１０１に対して、フレーム１５０ａ、１５０ｂが順次積層されており、フレーム１５０ａ、１５０ｂの間に光ディスク１０３ａが配置されている。以下フレームや光ディスク等（図示せず）が実施例１と同様に順次積層されている。但し、実施例１と異なり本実施例では、光ディスク１０３ａの各面に対して２個の光ヘッドアセンブリが対向配置されている。このように複数個光ヘッドを設けることで冗長系を構成することができ、光ディスク１０３ａに対する転送レートを向上させることが可能になるとともに、複数の光ヘッドアセンブリの他方を故障時等の予備として用いることも可能となり、装置の高性能化及び信頼性の向上を図ることが可能になる。
【００５４】
実施例５．
図９は本発明の実施例５における積層型光ディスク装置の要部平面図である。尚、図１〜８と同一または相当部分には同一符号を付してその説明を省略する。
【００５５】
同図に示すように、フレーム１６０ａに対して光ヘッドアセンブリ１０８ａ，１０８ｂが組み込まれており、以下フレームや光ディスク等（図示せず）が実施例１と同様に順次積層される。但し、実施例１とは異なり、本実施例においては、フレーム１６０ａの外形形状が平面的な配置面積効率が優れている、ほぼ正六角形を成している点が相違する。
【００５６】
実施例６．
図１０は本発明の実施例６における積層型光ディスク装置の要部平面図である。尚、図１〜９と同一または相当部分には同一符号を付してその説明を省略する。
【００５７】
本実施例では図１０に示すように、図９のごときほぼ正六角形の３個のフレーム１７０ａの周辺リブ部１７１ａが互いに接するように並列配置することで１つのフレームを構成するようにしている。そして、以下フレームや光ディスク等（図示せず）が図１０構成上に順次積層される。つまり、本実施例ではフレーム１７０ａは併設されるべきフレームの周縁リブ部１７１ａの３辺が互いに共有されている。
【００５８】
実施例７．
図１１は本発明の実施例７における積層型光ディスク装置の概略斜視図である。尚、図１〜１０と同一または相当部分には同一符号を付してその説明を省略する。
【００５９】
本実施例では、図１１に示すように、各フレームと各光ヘッドアセンブリから成る多角柱部１７０と、ベース１０１と最上層のフレ−ムの上側に設けられたカバ−１７１により、上記複数の光ディスク群を含む空間をほぼ密閉した構成を成している。
【００６０】
実施例８．
図１２は上述の各実施例の積層型光ディスク装置を用いて構成した光ディスクシステムの概念図である。
かかる光ディスクシステムにおいては、転送レートの高速化や情報量の大容量化が大きな課題であり、本発明のような積層型光ディスク装置が有効である。
【００６１】
同図において、２０１は上述の各実施例において説明した積層型光ディスク装置であり、入出力制御装置２０２との間に設けられた回線２０３，２０４との間で必要な情報のやり取りが行われる。そして、２０５は上記積層型光ディスク装置２０１、入出力制御装置２０２、回線２０３，２０４等が所定の関係に配置されたサーバであり、これらにより情報の送り手側が構成されている。
【００６２】
また、２０６ａ〜２０６ｃは情報の受け手である各加入者がそれぞれ保有するデコーダであり、かかるデコーダはサーバ２０５との間を例えば電話回線やＣＡＴＶネットワーク等２０７ａ〜２０７ｃにより結合され、サーバ２０５から送られてきた情報を変換する。
【００６３】
２０８ａ〜２０８ｃはＤ／Ａ（デジタル／アナログ）コンバータ、２０９ａ〜２０９ｃはそれぞれＤ／Ａコンバータ２０８ａ〜２０８ｃでアナログ変換された情報を再生するテレビ等のモニタである。さらに、２１０ａ〜２１０ｃはキーボード等からなるコントロール装置であり、上記入出力制御装置２０２との間を電話回線やＣＡＴＶネットワーク等２１１ａ〜２１１ｃを通じて接続され、加入者側が欲する情報をサーバ２０５に伝達する。２１２ａ〜２１２ｃは上記デコーダ２０６ａ〜２０６ｃ、コントロール装置２１０ａ〜２１０ｃ、Ｄ／Ａコンバータ２０８ａ〜２０８ｃ等を含み構成される端末、２１３ａ〜２１３ｃは上記情報の受け手である加入者であり、同図では３つのものを示したが、実際にはより多数の加入者が存在する。
【００６４】
以上のように構成された本実施例の光ディスクシステムでは、加入者からの要求を受けた入出力制御装置２０２は、その要求に対応した光ディスクをその光ディスクに対応した光ヘッドアセンブリによって再生し、これを加入者に送信する。加入者側では、送られてきた情報をデコーダ２０６ａ〜２０６ｃで復調し、モニタ２０９ａ〜２０９ｃに映出する。
【００６５】
【発明の効果】
本発明の請求項１にかかる積層型光ディスク装置によれば、装置の重量を大幅に増加させることなく剛性の高い積層型光ディスク装置を構成できるので、アクセス制御、フォーカシング制御、トラッキング制御への光ヘッドアセンブリの励振による悪影響を抑制することができる。
【００６６】
本発明の請求項２にかかる積層型光ディスク装置によれば、フレームを単に積層するだけで光ディスクと光ヘッドアセンブリの相対高さを所望の値に設定することができる量産性に富んだ積層型光ディスク装置が得られる。
【００６７】
本発明の請求項３にかかる積層型光ディスク装置によれば、各フレームを光ディスクの回転軸を略中心とした多角形を構成する周縁リブ部と、該周縁リブ部の内面に配され周縁リブ部を縦横に接続する中央リブ部とから構成したので、軽量かつ剛性の高い積層型光ディスク装置を構成することができる。
【００６８】
本発明の請求項４にかかる積層型光ディスク装置によれば、中央リブ部と光ヘッドアセンブリとの接触部にガイドを形成することで、フレームに着脱される光ヘッドアセンブリの配置傾きを防止できる積層型光ディスク装置を得ることができる。
【００６９】
本発明の請求項５にかかる積層型光ディスク装置によれば、各フレームの端部を貫通する固定手段により積層されたフレームの全てをベースに直接固定することで、多数のフレームを簡易にベースに対して位置決め固定することができる。
【００７０】
本発明の請求項６にかかる積層型光ディスク装置によれば、積層されたフレームの各フレーム間を個別固定手段でそれぞれ固定し、最下層のフレームをベースに対して固定したので、光ディスクと光ヘッドアセンブリ間の相対的な傾き調整を各フレーム間で個別に行うことができ、フレームに着脱される光ヘッドアセンブリの配置傾き調整を容易に行うことができる。
【００７１】
本発明の請求項７にかかる積層型光ディスク装置によれば、ディスクモータをフレームのそれぞれに対して設けることで、積層された複数の光ディスクの中から必要に応じて光ディスクを選択・再生することができる。
【００７２】
本発明の請求項８にかかる積層型光ディスク装置によれば、フレームが保持する光ディスクの同一面に対して複数の光ヘッドアセンブリを対向させることで、冗長系を構成し、光ディスクへの転送レートを向上させ、また、装置の信頼性の向上、及び、長寿命化を図ることもできる。
【００７３】
本発明の請求項９にかかる積層型光ディスク装置によれば、フレームの外形形状を正六角形とすることで、このフレームの周縁リブ部の一部を互いに共用する複数のフレームを並置した最密構造を採用でき、空間利用率が高く、また量産性に富んだ積層型光ディスク装置が容易に構成できる。
【００７４】
本発明の請求項１０にかかる光ディスクシステムによれば、異なる情報をもつ多数の光ディスクの中から、外部の要求に応じて容易かつ迅速に所望の情報を送出することができ、情報のアクセスをスムーズに行える光ディスクシステムを得ることができる。
【図面の簡単な説明】
【図１】  本発明の実施例１における積層型光ディスク装置の要部分解斜視図である。
【図２】  図１の要部平面図である。
【図３】  図１の概略断面図である。
【図４】  図１の一部品であるフレーム単体の平面図である。
【図５】  本発明の実施例２における積層型光ディスク装置の概略断面図である。
【図６】  本発明の実施例３における積層型光ディスク装置の要部分解斜視図である。
【図７】  図６の一部品であるフレーム単体の平面図である。
【図８】  本発明の実施例４における積層型光ディスク装置の要部分解斜視図である。
【図９】  本発明の実施例５における積層型光ディスク装置の一部品であるフレーム単体の平面図である。
【図１０】  本発明の実施例６における積層型光ディスク装置の概略平面図である。
【図１１】  本発明の実施例７における積層型光ディスク装置の概略斜視図である。
【図１２】  本発明の実施例８における光ディスクシステムの概念図である。
【図１３】  従来の積層光ディスク装置の断面図である。
【図１４】  図１３の取付フレ−ムの斜視図である。
【図１５】  図１３における光ヘッドアセンブリを固定する取付フレームと光ヘッドアセンブリを取り付けた状態並びに光ディスク装置の外観斜視図である。
【図１６】  従来の積層光ディスク装置の他の実施例を示した断面図である。
【符号の説明】
１０１：ベース、１０２：ディスクモータ、１０３ａ，１０３ｂ，１０３ｃ，１０３ｄ：光ディスク、１０４ａ，１０４ｂ，１０４ｃ：スペ−サ、１０５ａ，１０５ｂ，１０５ｃ，１０５ｄ，１０５ｅ：フレーム、１０６ａ，１０６ｂ，１０６ｃ，１０６ｄ，１０６ｅ：周縁リブ部、１０７ａ，１０７ｂ，１０７ｃ，１０７ｄ，１０７ｅ：中央リブ部、１０７：中央リブ、１０８ａ，１０８ｂ，１０８ｃ，１０８ｄ，１０８ｅ，１０８ｆ，１０８ｇ，１０８ｈ：光ヘッドアセンブリ、２０１：積層型光ディスク装置、２０２：入出力制御装置、２０３，２０４：回線、２０５：サーバ、２０６ａ〜２０６ｃ：デコーダ、２０７ａ〜２０７ｃ，２１１ａ〜２１１ｃ：電話回線やＣＡＴＶネットワーク、２０８ａ〜２０８ｃ：Ｄ／Ａ（デジタル／アナログ）コンバータ、２０９ａ〜２０９ｃ：モニタ、２１０ａ〜２１０ｃ：コントロール装置、２１２ａ〜２１２ｃ：端末、２１３ａ〜２１３ｃ：加入者
【図１】
0003659677.tif 000002
【図２】
0003659677.tif 000003
【図３】
0003659677.tif 000004
【図４】
0003659677.tif 000005
【図５】
0003659677.tif 000006
【図６】
0003659677.tif 000007
【図７】
0003659677.tif 000008
【図８】
0003659677.tif 000009
【図９】
0003659677.tif 000010
【図１０】
0003659677.tif 000011
【図１１】
0003659677.tif 000012
【図１２】
0003659677.tif 000013
【図１３】
0003659677.tif 000014
【図１４】
0003659677.tif 000015
【図１５】
0003659677.tif 000016
【図１６】
0003659677.tif 000017